(57)【要約】【課題】 コストを低減しかつ加工精度も向上させた密封装置を備えた転がり軸受装置を提供する。【解決手段】  芯金11は、内輪（回転輪）3と所要間隔をおいて対向する回転輪側円筒部22を有している。回転輪側円筒部22に、周方向に所要の間隔でこれを径方向に貫通する貫通孔24が設けられている。弾性シール12は、芯金11の回転輪側円筒部22の反回転輪側の円周面22aに密着する基部31と、芯金11の回転輪側円筒部22の回転輪側の円周面22bに密着してその先端部が回転輪3に摺接する摺接部32と、芯金11の回転輪側円筒部22の複数の貫通孔24に挿入されて基部31と摺接部32とを連結する複数の連結片34とを有している。【選択図】    図２
2013190081.tif 000002
【特許請求の範囲】
【請求項１】
回転輪、静止輪、複数の転動体および両輪端部間の少なくとも一方に設けられた密封装置を備えており、密封装置は、環状の芯金と、これに取り付けられた弾性シールとからなる転がり軸受装置において、
芯金は、回転輪と間隔をおいて対向する回転輪側円筒部を有しており、回転輪側円筒部に、これを径方向に貫通する貫通孔が設けられており、弾性シールは、芯金の回転輪側円筒部の反回転輪側の円周面に密着する基部と、芯金の回転輪側円筒部の回転輪側の円周面に密着してその先端部が回転輪に摺接する摺接部と、芯金の回転輪側円筒部の複数の貫通孔に挿入されて基部と摺接部とを連結する複数の連結片とを有していることを特徴とする転がり軸受装置。
【請求項２】
芯金は、静止輪に嵌め合わされる静止輪側円筒部と、回転輪側円筒部と静止輪側円筒部とを連結する環状連結部とをさらに有しており、静止輪側円筒部および環状連結部には、弾性シールが設けられていないことを特徴とする請求項１の転がり軸受装置。
【発明の詳細な説明】
【技術分野】
【０００１】
この発明は、転がり軸受装置に関し、特に、密封装置を備えた転がり軸受装置に関する。
【背景技術】
【０００２】
回転輪、静止輪、複数の転動体および両輪端部間の少なくとも一方に設けられた密封装置を備えている転がり軸受装置はよく知られており、その密封装置として、鋼板製のプレス加工品とされた環状の芯金と、これに取り付けられた弾性シールとからなるものがよく使用されている。
【０００３】
このような密封装置としては、非接触タイプと接触タイプとがあり、特許文献１に示されている接触タイプ、すなわち、回転輪に摺接するリップを備えたものが密封性が高い。このような接触タイプでは、通常、芯金の全周にゴム（弾性シール）を成型し、芯金の静止輪側円筒部と静止輪との間にゴム部分を介在させるようになされている。
【先行技術文献】
【特許文献】
【０００４】
【特許文献１】特開２００８−１９０５９９号公報
【発明の概要】
【発明が解決しようとする課題】
【０００５】
転がり軸受装置で使用される接触タイプの密封装置は、密封性が高いものの、ゴム材の使用割合が高くてコストが高いという問題と、芯金の全周にゴムを成型するので、加工精度が悪いという問題を有している。
【０００６】
この発明の目的は、コストを低減しかつ加工精度も向上させた密封装置を備えた転がり軸受装置を提供することにある。
【課題を解決するための手段】
【０００７】
この発明による転がり軸受装置は、回転輪、静止輪、複数の転動体および両輪端部間の少なくとも一方に設けられた密封装置を備えており、密封装置は、環状の芯金と、これに取り付けられた弾性シールとからなる転がり軸受装置において、芯金は、回転輪と間隔をおいて対向する回転輪側円筒部を有しており、回転輪側円筒部に、これを径方向に貫通する貫通孔が設けられており、弾性シールは、芯金の回転輪側円筒部の反回転輪側の円周面に密着する基部と、芯金の回転輪側円筒部の回転輪側の円周面に密着してその先端部が回転輪に摺接する摺接部と、芯金の回転輪側円筒部の複数の貫通孔に挿入されて基部と摺接部とを連結する複数の連結片とを有していることを特徴とするものである。
【０００８】
弾性シールが設けられる芯金の回転輪側の縁部は、通常、軸方向に対して直交する円板状とされるか、または、円板状部分に対して鈍角をなす屈曲部を有するものとされ、弾性シールの基部は、芯金の回転輪側の縁部に軸方向の両側から密着するように、Ｕ字状とされる。これに対し、この発明による転がり軸受装置では、弾性シールが設けられる芯金の回転輪側の縁部は、円筒部（回転輪側円筒部）とされ、弾性シールは、この回転輪側円筒部に（好ましくは回転輪側円筒部のみに）設けられる。これにより、従来のものに比べて、ゴム部分を少なくすることができ、コスト低減が可能となる。ゴム部分を少なくすると、芯金と弾性シールとの密着性が低下するおそれがあるが、弾性シールの基部と摺接部とが複数の連結片で連結されていることで、弾性シールが芯金に強固に保持される。また、鋼板製のプレス加工品とされた芯金の回転輪側円筒部の加工精度を向上させることで、回転輪と回転輪側円筒部との隙間の最適化を図り、密封性能を向上させることも可能になる。
【０００９】
芯金は、静止輪に嵌め合わされる静止輪側円筒部と、回転輪側円筒部と静止輪側円筒部とを連結する環状連結部とをさらに有しており、静止輪側円筒部および環状連結部には、弾性シールが設けられていないことが好ましい。
【発明の効果】
【００１０】
この発明の転がり軸受装置によると、ゴム部分を少なくすることができ、また、弾性シールの基部と摺接部とが複数の連結片で連結されていることで、弾性シールが芯金に強固に保持される。しかも、芯金の縁部が円筒状とされていることで、加工精度の向上が可能となる。これにより、コストの低減および密封性能の向上が可能となる。
【図面の簡単な説明】
【００１１】
【図１】図１は、この発明による転がり軸受装置の１実施形態を示す縦断面図である。
【図２】図２は、この発明による転がり軸受装置の要部である密封装置を示す拡大縦断面図である。
【発明を実施するための形態】
【００１２】
この発明の実施の形態を、以下図面を参照して説明する。
【００１３】
図１および図２は、この発明による転がり軸受装置の１実施形態を示している。
【００１４】
この転がり軸受装置(1)は、外輪（静止輪）(2)と、内輪（回転輪）(3)と、両輪(2)(3)間に配された複数の玉（転動体）(4)と、複数の玉(4)を保持する保持器(5)と、両輪(2)(3)間の各端部にそれぞれ配された密封装置(6)とを有している。
【００１５】
密封装置(6)は、外輪(2)に取り付けられる環状の芯金(11)と、芯金(11)に取り付けられた弾性シール(12)とを備えている。
【００１６】
芯金(11)は、外輪(2)に嵌められる外輪側円筒部（静止輪側円筒部）(21)と、内輪(3)と所要間隔をおいて対向する内輪側円筒部（回転輪側円筒部）(22)と、両円筒部(21)(22)を連結する環状連結部(23)とを有している。
【００１７】
外輪(2)の端部近傍には、環状溝(2a)が形成されており、外輪側円筒部(21)は、その軸方向外側端部が外輪(2)の端部（環状溝(2a)が形成されていない部分）の内周に圧入されている。外輪側円筒部(21)の軸方向外側端部には、断面曲線状のフランジ部(21a)が設けられている。
【００１８】
環状連結部(23)は、外輪側円筒部(21)の軸方向内側端部から径方向内方にのびる外側円板部(23a)と、外側円板部(23a)の径方向内側縁部に連なって軸方向外方かつ径方向内方にのびるテーパ部(23b)と、テーパ部(23b)の径方向内側縁部から径方向内方にのびて内輪側円筒部(22)の軸方向外側端部に連なる内側円板部(23c)とからなる。
【００１９】
図２に示すように、内輪側円筒部(22)には、周方向に所要の間隔で、これを径方向に貫通する貫通孔(24)が設けられている。
【００２０】
弾性シール(12)は、図２に示すように、芯金(11)の内輪側円筒部(22)の外周面（反回転輪側の円周面）(22a)に密着する円筒状の基部(31)と、芯金(11)の内輪側円筒部(22)の内周面（回転輪側の円周面）(22b)に密着してその先端部が内輪(3)に摺接する摺接部(32)と、基部(31)の軸方向内側端部と摺接部(32)の軸方向内側端部とを連結して芯金(11)の内輪側円筒部(22)の軸方向内側端面に密着する環状連結部(33)と、芯金(11)の内輪側円筒部(22)の複数の貫通孔(24)に挿入されて基部(31)と摺接部(32)とを連結する複数の連結片(34)とを有している。
【００２１】
内輪(3)の外周面は、凹凸のない円周面とされている。弾性シール(12)の摺接部(32)には、内輪(3)の外周面に摺接する計３つのラジアルリップ(32a)(32b)(32c)が設けられている。
【００２２】
弾性シール(12)の連結片(34)は、弾性シール(12)を芯金(11)に加硫接着する際の加熱により、弾性シール(12)を形成するためのゴムが芯金(11)の内輪側円筒部(22)の複数の貫通孔(24)に流れ込むことで得ることができる。
【００２３】
上記において、外輪(2)を静止輪、内輪(3)を回転輪として説明したが、外輪(2)を回転輪、内輪(3)を静止輪としてもよく、いずれにしろ、符号(21)で示す円筒部が静止輪に嵌め合わされ、符号(22)で示す円筒部が回転輪に対向させられる。なお、外輪(2)の環状溝(2a)は。設けなくてもよい。また、内輪側円筒部(22)の貫通孔(24)は、周方向に所要の間隔とする必要はなく、少なくとも１つあればよい。
【符号の説明】
【００２４】
(1)：転がり軸受装置、(2)：外輪（静止輪）、(3)：内輪（回転輪）、(4)：玉（転動体）、(6)：密封装置、(11)：芯金、(12)：弾性シール、(21)：外輪側円筒部（静止輪側円筒部）、(22)：内輪側円筒部（回転輪側円筒部）、(22a)：外周面（反回転輪側の円周面）、(22b)：内周面（回転輪側の円周面）、(23)：環状連結部、(24)：貫通孔、(31)：基部、(32)：摺接部、(34)：連結片
【図１】
2013190081.tif 000003
【図２】
2013190081.tif 000004